(57)【要約】【課題】振動や衝撃に強い光コネクタを実現できる光ファイバ端子、端子付光ファイバケーブル、光コネクタ、およびコネクタ付光ファイバケーブルを提供すること。【解決手段】光ファイバを素線被覆で被覆した光ファイバ素線と、前記光ファイバ素線の長手方向に沿って配置された抗張力体と、前記光ファイバ素線および前記抗張力体を被覆する被覆部とを有する光ファイバケーブルの先端に取り付けられる光ファイバ端子であって、前記光ファイバ素線を挿通し、前記抗張力体を外周部に載置する筒体と、前記筒体に前記抗張力体を固定するための抗張力体固定部材と、を備え、前記抗張力体固定部材は、前記筒体に嵌合し、前記筒体に載置された前記抗張力体とともに前記筒体をかしめる第１かしめ部と、前記光ファイバケーブルの被覆部が挿通されて該被覆部をかしめる第２かしめ部と、前記第１かしめ部から前記第２かしめ部にわたって形成されたスリットを有する。【選択図】図１
2012220799.tif 000002
【特許請求の範囲】
【請求項１】
光ファイバを素線被覆で被覆した光ファイバ素線と、前記光ファイバ素線の長手方向に沿って配置された抗張力体と、前記光ファイバ素線および前記抗張力体を被覆する被覆部とを有する光ファイバケーブルの先端に取り付けられる光ファイバ端子であって、
前記光ファイバ素線を挿通し、前記抗張力体を外周部に載置する筒体と、
前記筒体に前記抗張力体を固定するための抗張力体固定部材と、
を備え、前記抗張力体固定部材は、前記筒体に嵌合し、前記筒体に載置された前記抗張力体とともに前記筒体をかしめる第１かしめ部と、前記光ファイバケーブルの被覆部が挿通されて該被覆部をかしめる第２かしめ部と、前記第１かしめ部から前記第２かしめ部にわたって形成されたスリットを有することを特徴とする光ファイバ端子。
【請求項２】
前記第１かしめ部および前記第２かしめ部の少なくとも一方は、Ｕ字形状を有し、前記スリットは前記Ｕ字形状の先端部を内側に曲げることによって形成されることを特徴とする請求項１に記載の光ファイバ端子。
【請求項３】
前記抗張力体固定部材は第１かしめ部と前記第２かしめ部とを接続する少なくとも一つの渡り部を有することを特徴とする請求項１または２に記載の光ファイバ端子。
【請求項４】
前記筒体は外周に沿って形成されたフランジ部を有し、前記抗張力体固定部材は前記フランジ部をかしめる第３かしめ部を有することを特徴とする請求項１〜３のいずれか一つに記載の光ファイバ端子。
【請求項５】
前記筒体は前記フランジ部に比して突出高さが低い少なくとも一つの第１凸部を有することを特徴とする請求項４に記載の光ファイバ端子。
【請求項６】
前記抗張力体固定部材は少なくとも内周に形成された少なくとも一つの第２凸部を有することを特徴とする請求項１〜５のいずれか一つに記載の光ファイバ端子。
【請求項７】
前記筒体はフェルールであることを特徴とする請求項１〜６のいずれか一つに記載の光ファイバ端子。
【請求項８】
前記フェルールは、前記光ファイバ素線を把持するための溝を有する光ファイバ固定部材を備えるとともに、側面側には、挿通された前記光ファイバ素線が少なくとも露出する深さの開口穴が形成されており、
前記光ファイバ固定部材が前記フェルールの開口穴に挿入され、前記挿通された光ファイバ素線を前記溝にて把持することによって、前記挿通された光ファイバ素線を固定することを特徴とする請求項７に記載の光ファイバ端子。
【請求項９】
前記筒体はストップリングであることを特徴とする請求項１〜６のいずれか一つに記載の光ファイバ端子。
【請求項１０】
光ファイバを素線被覆で被覆した光ファイバ素線と、前記光ファイバ素線の長手方向に沿って配置された抗張力体と、前記光ファイバ素線および前記抗張力体を被覆する被覆部とを有する光ファイバケーブルと、
前記光ファイバケーブルの先端に取り付けられた請求項１〜９のいずれか一つに記載の光ファイバ端子と、
を備えることを特徴とする端子付光ファイバケーブル。
【請求項１１】
請求項１〜８のいずれか一つに記載の光ファイバ端子と、
前記光ファイバ端子を保持するハウジングと、
を備え、前記ハウジングは、当該光コネクタを他の光コネクタに着脱可能に固定するための固定構造を備えることを特徴とする光コネクタ。
【請求項１２】
前記固定構造は、当該光コネクタを他の光コネクタに係止するためのラッチ構造であることを特徴とする請求項１１に記載の光コネクタ。
【請求項１３】
前記ハウジングに前記光ファイバ端子を固定するための光ファイバ端子固定部材を備え、前記筒体は、前記光ファイバ端子固定部材が嵌合される溝が外周部に設けられていることを特徴とする請求項１１または１２に記載の光コネクタ。
【請求項１４】
前記ハウジングは、前記光ファイバ端子の先端面側への移動を規制する規制面を有することを特徴とする請求項１１〜１３のいずれか一つに記載の光コネクタ。
【請求項１５】
前記筒体は、前記ハウジングの前記規制面に当接して前記光ファイバ端子の先端面側への移動を規制するための鍔部を有することを特徴とする請求項１４に記載の光コネクタ。
【請求項１６】
請求項９に記載の光ファイバ端子と、
前記光ファイバ端子を保持するハウジングと、
を備えることを特徴とする光コネクタ。
【請求項１７】
光ファイバを素線被覆で被覆した光ファイバ素線と、前記光ファイバ素線の長手方向に沿って配置された抗張力体と、前記光ファイバ素線および前記抗張力体を被覆する被覆部とを有する光ファイバケーブルと、
前記光ファイバケーブルの先端に取り付けられた請求項１１〜１６のいずれか一つに記載の光コネクタと、
を備えることを特徴とするコネクタ付光ファイバケーブル。
【発明の詳細な説明】
【技術分野】
【０００１】
本発明は、光ファイバ端子、端子付光ファイバケーブル、光コネクタ、およびコネクタ付光ファイバケーブルに関するものである。
【背景技術】
【０００２】
近年の車両内での制御信号、画像信号、音声信号等の通信情報量の増大に伴い、情報信号の伝送に使用される伝送路にも、従来のメタルケーブルに代えて光ファイバケーブルが用いられるようになってきている（特許文献１、２参照）。光ファイバケーブルは、メタルケーブルのように通信速度の高速化により周囲にノイズを放出するという問題もないため、高速、大容量の情報通信に適する信号伝送路である。
【０００３】
光ファイバケーブルは、その端部に光コネクタを備えている。光コネクタは、光ファイバケーブルの先端に取り付けられるフェルール等を有する端子（光ファイバ端子）と、この光ファイバ端子を保持し、他の光コネクタ等と接続するための構造を有するハウジングとを備えている。一方、通信を行なう装置にも光コネクタが備えられており、光コネクタ同士を接続することによって、光ファイバケーブルと、通信を行なう装置とを接続することができる。また、光ファイバケーブル同士の接続も光コネクタによって実現される。光ファイバケーブル同士の接続はWire  to  Wire接続と呼ばれる。
【０００４】
また、従来の光コネクタでは、光コネクタと光ファイバケーブルとを接続する場合に、かしめリングなどのかしめ部材を用いて、たとえばストップリングと光ファイバケーブルとをかしめることによって両者を固定している（特許文献３、４参照）。
【先行技術文献】
【特許文献】
【０００５】
【特許文献１】特開２００２−１０７５７３号公報
【特許文献２】特許第３８１３４９６号公報
【特許文献３】特開平１１−２１８６４２号公報
【特許文献４】特開２００４−７７６０３号公報
【発明の概要】
【発明が解決しようとする課題】
【０００６】
ところで、光ファイバケーブルを車両内のワイヤーハーネスに適用する場合、ワイヤーハーネスにより通信を行なう装置は、ルーフ部、フロア部、エンジン周り、インパネ周り等の車両の各構成単位に配置されている。したがって、各構成単位に配置された通信装置間を接続するワイヤーハーネスにおいて、特にWire  to  Wire接続に使用される光コネクタは、車両の製造の際のアセンブリ工程や組付け工程、あるいは点検整備等の際に何度も着脱を繰り返され、その際に引っ張り等の強い衝撃を受ける場合がある。また、光コネクタは、車両の走行時の振動、衝撃等も受けることとなる。したがって、特に車両内で使用される光コネクタについては、振動や衝撃に強いことが特に要求されている。
【０００７】
しかしながら、従来構造の光コネクタでは、たとえば光ファイバ端子と光ファイバケーブルとをかしめ部材で固定する場合に、最初に光ファイバ端子の部分をかしめた後に光ファイバケーブルの部分をかしめると、光ファイバ端子の部分の固定強度が弱くなってしまい、振動や衝撃に対する強度が低下する場合があるという問題があった。
【０００８】
本発明は、上記に鑑みてなされたものであって、振動や衝撃に強い光コネクタを実現できる光ファイバ端子、端子付光ファイバケーブル、光コネクタ、およびコネクタ付光ファイバケーブルを提供することを目的とする。
【課題を解決するための手段】
【０００９】
上述した課題を解決し、目的を達成するために、本発明に係る光ファイバ端子は、光ファイバを素線被覆で被覆した光ファイバ素線と、前記光ファイバ素線の長手方向に沿って配置された抗張力体と、前記光ファイバ素線および前記抗張力体を被覆する被覆部とを有する光ファイバケーブルの先端に取り付けられる光ファイバ端子であって、前記光ファイバ素線を挿通し、前記抗張力体を外周部に載置する筒体と、前記筒体に前記抗張力体を固定するための抗張力体固定部材と、を備え、前記抗張力体固定部材は、前記筒体に嵌合し、前記筒体に載置された前記抗張力体とともに前記筒体をかしめる第１かしめ部と、前記光ファイバケーブルの被覆部が挿通されて該被覆部をかしめる第２かしめ部と、前記第１かしめ部から前記第２かしめ部にわたって形成されたスリットを有することを特徴とする。
【００１０】
また、本発明に係る光ファイバ端子は、上記の発明において、前記第１かしめ部および前記第２かしめ部の少なくとも一方は、Ｕ字形状を有し、前記スリットは前記Ｕ字形状の先端部を内側に曲げることによって形成されることを特徴とする。
【００１１】
また、本発明に係る光ファイバ端子は、上記の発明において、前記抗張力体固定部材は第１かしめ部と前記第２かしめ部とを接続する少なくとも一つの渡り部を有することを特徴とする。
【００１２】
また、本発明に係る光ファイバ端子は、上記の発明において、前記筒体は外周に沿って形成されたフランジ部を有し、前記抗張力体固定部材は前記フランジ部をかしめる第３かしめ部を有することを特徴とする。
【００１３】
また、本発明に係る光ファイバ端子は、上記の発明において、前記筒体は前記フランジ部に比して突出高さが低い少なくとも一つの第１凸部を有することを特徴とする。
【００１４】
また、本発明に係る光ファイバ端子は、上記の発明において、前記抗張力体固定部材は少なくとも内周に形成された少なくとも一つの第２凸部を有することを特徴とする。
【００１５】
また、本発明に係る光ファイバ端子は、上記の発明において、前記筒体はフェルールであることを特徴とする。
【００１６】
また、本発明に係る光ファイバ端子は、上記の発明において、前記フェルールは、前記光ファイバ素線を把持するための溝を有する光ファイバ固定部材を備えるとともに、側面側には、挿通された前記光ファイバ素線が少なくとも露出する深さの開口穴が形成されており、前記光ファイバ固定部材が前記フェルールの開口穴に挿入され、前記挿通された光ファイバ素線を前記溝にて把持することによって、前記挿通された光ファイバ素線を固定することを特徴とする。
【００１７】
また、本発明に係る光ファイバ端子は、上記の発明において、前記筒体はストップリングであることを特徴とする。
【００１８】
また、本発明に係る端子付光ファイバケーブルは、光ファイバを素線被覆で被覆した光ファイバ素線と、前記光ファイバ素線の長手方向に沿って配置された抗張力体と、前記光ファイバ素線および前記抗張力体を被覆する被覆部とを有する光ファイバケーブルと、前記光ファイバケーブルの先端に取り付けられた上記の発明のいずれか一つに記載の光ファイバ端子と、を備えることを特徴とする。
【００１９】
また、本発明に係る光コネクタは、上記の発明のいずれか一つに記載の光ファイバ端子と、前記光ファイバ端子を保持するハウジングと、を備え、前記ハウジングは、当該光コネクタを他の光コネクタに着脱可能に固定するための固定構造を備えることを特徴とする。
【００２０】
また、本発明に係る光コネクタは、上記の発明において、前記固定構造は、当該光コネクタを他の光コネクタに係止するためのラッチ構造であることを特徴とする。
【００２１】
また、本発明に係る光コネクタは、上記の発明において、前記ハウジングに前記光ファイバ端子を固定するための光ファイバ端子固定部材を備え、前記筒体は、前記光ファイバ端子固定部材が嵌合される溝が外周部に設けられていることを特徴とする。
【００２２】
また、本発明に係る光コネクタは、上記の発明において、前記ハウジングは、前記光ファイバ端子の先端面側への移動を規制する規制面を有することを特徴とする。
【００２３】
また、本発明に係る光コネクタは、上記の発明において、前記筒体は、前記ハウジングの前記規制面に当接して前記光ファイバ端子の先端面側への移動を規制するための鍔部を有することを特徴とする。
【００２４】
また、本発明に係る光コネクタは、上記の発明の光ファイバ端子と、前記光ファイバ端子を保持するハウジングと、を備えることを特徴とする。
【００２５】
また、本発明に係るコネクタ付光ファイバケーブルは、光ファイバを素線被覆で被覆した光ファイバ素線と、前記光ファイバ素線の長手方向に沿って配置された抗張力体と、前記光ファイバ素線および前記抗張力体を被覆する被覆部とを有する光ファイバケーブルと、前記光ファイバケーブルの先端に取り付けられた上記の発明のいずれか一つに記載の光コネクタと、を備えることを特徴とする。
【発明の効果】
【００２６】
本発明によれば、スリットによって応力が開放されるため、かしめ工程において他のかしめ部分の固定強度が弱くなることが防止されるので、振動や衝撃に強い光コネクタを実現できるという効果を奏する。
【図面の簡単な説明】
【００２７】
【図１】図１は、実施の形態１に係る光ファイバ端子を光ファイバケーブルの先端に取り付けた端子付光ファイバケーブルを模式的に示す図である。
【図２】図２は、図１に示す端子付光ファイバケーブルの模式的な分解図である。
【図３】図３は、光ファイバ素線の構造を模式的に示す図である。
【図４】図４は、光ファイバ固定部材がフェルールに挿入される様子を説明する断面図である。
【図５】図５は、図１に示す端子付光ファイバケーブルの組立工程を説明する図である。
【図６】図６は、図１に示す端子付光ファイバケーブルの組立工程を説明する図である。
【図７】図７は、抗張力体が固定されている状態を説明する一部断面図である。
【図８】図８は、実施の形態２に係る光ファイバ端子を光ファイバケーブルの先端に取り付けた端子付光ファイバケーブルを模式的に示す図である。
【図９】図９は、図８に示すフェルールを模式的に示す図である。
【図１０】図１０は、図８に示すかしめリングのかしめる前の状態を模式的に示す図である。
【図１１】図１１は、図１０に示すかしめリングの断面図である。
【図１２】図１２は、図８に示す端子付光ファイバケーブルの組立工程を説明する図である。
【図１３】図１３は、かしめた後の端子付光ファイバケーブルの模式的な断面図である。
【図１４】図１４は、かしめた後の端子付光ファイバケーブルの別の態様の模式的な断面図である。
【図１５】図１５は、図１０に示すかしめリングの変形例を模式的に示す図である。
【図１６】図１６は、実施の形態３に係る光ファイバ端子に用いるかしめリングを模式的に示す図である。
【図１７】図１７は、実施の形態３に係る光ファイバ端子を用いた端子付光ファイバケーブルの組立工程を説明する図である。
【図１８】図１８は、実施の形態４、５に係る光コネクタの使用状態を模式的に示す図である。
【図１９】図１９は、実施の形態４に係る光コネクタを光ファイバケーブルの先端に取り付けたコネクタ付光ファイバケーブルを模式的に示す図である。
【図２０】図２０は、図１９に示す光コネクタの一部断面図である。
【図２１】図２１は、図１９に示す光ファイバ端子固定部材の構造を模式的に示す図である。
【図２２】図２２は、実施の形態５に係る光コネクタを光ファイバケーブルの先端に取り付けたコネクタ付光ファイバケーブルを模式的に示す図である。
【図２３】図２３は、図２２に示す光コネクタの一部断面図である。
【図２４】図２４は、図１９に示す光コネクタと図２２に示す光コネクタとを接続した状態を示す一部断面図である。
【図２５】図２５は、実施の形態６に係る光コネクタの一部切欠断面図である。
【発明を実施するための形態】
【００２８】
以下に、図面を参照して本発明に係る光ファイバ端子、端子付光ファイバケーブル、光コネクタ、およびコネクタ付光ファイバケーブルの実施の形態を詳細に説明する。なお、この実施の形態によりこの発明が限定されるものではない。また、各図面において、同一または対応する要素には適宜同一の符号を付している。さらに、図面は模式的なものであり、各層の厚みと幅との関係、各層の比率などは、現実のものとは異なる場合があることに留意する必要がある。図面の相互間においても、互いの寸法の関係や比率が異なる部分が含まれている場合がある。
【００２９】
（実施の形態１）
はじめに、本発明の実施の形態１に係る光ファイバ端子について説明する。図１は、実施の形態１に係る光ファイバ端子を光ファイバケーブルの先端に取り付けた端子付光ファイバケーブルを模式的に示す図である。図１に示すように、この光ファイバ端子１０は、２芯構造光コネクタに取り付けられる光ファイバケーブル１の各先端に取り付けられている筒体としてのフェルール２と、抗張力体固定部材としてのかしめ部材であるかしめリング３と、保護ブーツ４とを備えている。２つの光ファイバ端子１０は同じ構造を有するので、以下では一方の光ファイバ端子１０について説明する。
【００３０】
図２は、図１に示す端子付光ファイバケーブルの模式的な分解図である。図２に示すように、光ファイバケーブル１は、光ファイバ１ａａと、光ファイバ１ａａの外周に長手方向に沿って形成されて光ファイバ１ａａを被覆する素線被覆部１ａｂとからなる光ファイバ素線１ａと、光ファイバ素線１ａの外周に長手方向に沿って配置された抗張力体１ｂと、抗張力体１ｂの外周を長手方向に沿って覆う外被覆部１ｃとを備えている。なお、抗張力体１ｂは、たとえばケブラー（登録商標）等のアラミド樹脂繊維からなり、光ファイバ素線１ａの外周を囲むように配置している。また、素線被覆部１ａｂはたとえばポリアミド樹脂からなる。そして、光ファイバケーブル１の先端で素線被覆部１ａｂと外被覆部１ｃとが一部除去され、光ファイバ１ａａ、素線被覆部１ａｂ、および抗張力体１ｂがそれぞれ所定の長さだけ外部に露出するようになっている。
【００３１】
図３は、光ファイバ素線１ａの構造を模式的に示す図である。図３に示すように、光ファイバ１ａａは、石英系ガラスからなるコア部１ａａａと、コア部１ａａａの外周に形成された、コア部１ａａａよりも屈折率が低い硬質プラスチックからなるクラッド部１ａａｂとからなる、いわゆるＨＣＳ（Hard  Clad  Silica）光ファイバである。コア部１ａａａのコア径はたとえば２００μｍ、クラッド部１ａａｂのクラッド径はたとえば２３０μｍであり、８５０ｎｍの光信号を低損失、広帯域で伝送し、かつ低曲げ損失であり、繰り返しの曲げ、引っ張り動作にも強いように設計されている。
【００３２】
図２に戻って、フェルール２は、全体的に円筒形状を有しており、先端部２ａと、外周に沿って形成された鍔部２ｂと、本体部２ｃと、台座部２ｄと、光ファイバ固定部材２ｅとを備えている。フェルール２はたとえば耐熱性、機械強度、成型性に優れるポリフェニレンサルファイド樹脂（ＰＰＳ）からなる。先端部２ａは先端面２ａａを有している。台座部２ｄは先端面２ａａと反対側の端部に位置しており、外周に沿って凸部２ｄａが形成されており、その表面が凹凸状になっている。本体部２ｃと鍔部２ｂとの間には外周に沿って溝部２ｇが形成されている。また、フェルール２には先端面２ａａから台座部２ｄまで貫通するように、光ファイバケーブル１の先端部を挿通するための挿通穴２ｈが形成されている。挿通穴２ｈの直径は、先端部２ａでは光ファイバ１ａａの外径と略一致するか僅かに大きく設定されており、その他の部分（ただし後述する開口穴２ｃａを除く）では光ファイバ素線１ａの外径と略一致するか僅かに大きく設定されている。
【００３３】
光ファイバ固定部材２ｅは樋形状であり、光ファイバ素線１ａを把持するための溝２ｅａを有している。また、フェルール２の本体部２ｃの側面側には、光ファイバ固定部材２ｅを挿入するための開口穴２ｃａが形成されている。開口穴２ｃａは、光ファイバ固定部材２ｅを挿入したときに、開口穴２ｃａの内側壁と光ファイバ固定部材２ｅの外側壁とが略隙間無く接触するような形状とされている。また、開口穴２ｃａは、挿通穴２ｈと連通しており、フェルール２に挿通された光ファイバケーブル１の素線被覆部１ａｂの部分が露出する程度の深さまで形成されている。なお、フェルール２の開口穴２ｃａ内の構造については後で詳述する。
【００３４】
かしめリング３は、第１かしめ部３ａと、第２かしめ部３ｂと、段差部３ｃとを備えている。かしめリング３はたとえばアルミニウム等の金属材料からなる。第１かしめ部３ａはフェルール２をかしめる部分である。第２かしめ部３ｂは光ファイバケーブル１の外被覆部１ｃをかしめる部分である。段差部３ｃは第１かしめ部３ａと第２かしめ部３ｂとを接続する部分である。かしめリング３には、第１かしめ部３ａから段差部３ｃを経由して第２かしめ部３ｂにわたってスリット３ｄが形成されている。
【００３５】
ここで、この光ファイバ端子１０を光ファイバケーブル１の先端に取り付ける際の組立工程について説明する。はじめに、光ファイバケーブル１を保護ブーツ４、かしめリング３に順次挿通する。つぎに、光ファイバケーブル１の先端部の外被覆部１ｃと素線被覆部１ａｂとを一部除去し、光ファイバ１ａａ、素線被覆部１ａｂ、および抗張力体１ｂをそれぞれ所定の長さだけ外部に露出させる。
【００３６】
つぎに、光ファイバケーブル１の先端部をフェルール２の台座部２ｄ側から挿通穴２ｈに挿通する。このとき、挿通穴２ｈに挿通された光ファイバ１ａａの先端面１ａａｃ（図１参照）はフェルール２の先端面２ａａに露出し、先端面１ａａｃと先端面２ａａとがほぼ同一平面をなすように挿通する。このとき、開口穴２ｃａの位置には光ファイバ素線１ａの素線被覆部１ａｂが位置することになる。
【００３７】
つぎに、光ファイバ固定部材２ｅを開口穴２ｃａに挿入し、光ファイバ素線１ａを把持させることによって、光ファイバ素線１ａをフェルール２に固定する。図４は、光ファイバ固定部材２ｅがフェルール２に挿入される様子を説明する、フェルール２の長手方向に垂直な面における断面図である。図４に示すように、フェルール２の開口穴２ｃａの底面には支持台２ｉが光ファイバ素線１ａの挿通方向に沿って形成されており、光ファイバ素線１ａは挿通されるとこの支持台２ｉに支持される。支持台２ｉの上面は平面でも、光ファイバ素線１ａの位置決めするためのＶ溝あるいはＵ溝でも良い。
【００３８】
そこで、光ファイバ固定部材２ｅを開口穴２ｃａに挿入し、溝２ｅａによって光ファイバ素線１ａを把持する。溝２ｅａ内には凹凸部２ｅｂが形成されているため、光ファイバ固定部材２ｅが溝２ｅａによって光ファイバ素線１ａを把持した場合に溝２ｅａと光ファイバ素線１ａとの間の摩擦力が高くなる。また、上述したように、開口穴２ｃａの内側壁と光ファイバ固定部材２ｅの外側壁とが略隙間無く接触しているため、光ファイバ固定部材２ｅは開口穴２ｃａに挿入されるとフェルール２に圧接する。この摩擦力と圧力により、光ファイバ素線１ａは光ファイバ固定部材２ｅによってフェルール２に固定され、また、図２に示したように固定部材２ｅの凹部と開口穴２ｃａ内に設けられた凸部が嵌合することによって光ファイバ固定部材２ｅが開口穴２ｃａから外れることが防止される。なお、このような光ファイバ固定部材２ｅを用いて光ファイバ素線１ａをフェルール２に固定することによって、たとえば接着剤によって固定を行なう場合のように接着剤が固化するのを待たなくても取り付け作業を続行できるので、作業工程の時間をより短縮することができる。また、光ファイバ固定部材２ｅを取り外すことができるので、フェルール２と光ファイバ素線１ａの相対的な位置関係も調整しやすい。また、挿通穴２ｈの内径φ２ｈは光ファイバ素線１ａの外形φ１ａの１．２倍〜１．５倍であると台座部２ｄ（５ｍｍ〜１．５ｍｍ）内でたわみを生じることができ、多くの場合、光ファイバ１ａａの押し込みによる破損を防止することができる。
【００３９】
つぎに、フェルール２の台座部２ｄに抗張力体１ｂを載置する。このとき台座部２ｄの外周にわたって均一に抗張力体１ｂを載置することが好ましい。その後、図５に示すように、かしめリング３を台座部２ｄに嵌合する。
【００４０】
つぎに、図６に示すように、かしめリング３の第１かしめ部３ａに圧力Ｆ１を加えて台座部２ｄに載置された不図示の抗張力体１ｂとともに台座部２ｄをかしめる。つぎに、第２かしめ部３ｂに圧力Ｆ２を加えて光ファイバケーブル１の外被覆部１ｃをかしめる。
【００４１】
ここで、特許文献３、４のようにかしめリングが完全に閉じた環状である場合、後のかしめ工程において圧力を加えたときに、この圧力により発生した内部応力が先にかしめた部分に伝わり、かしめがゆるむ場合がある。
【００４２】
これに対して、かしめリング３はスリット３ｄを有するので、第２かしめ部３ｂに対する圧力Ｆ２により内部応力が発生したとしてもその内部応力はスリット３ｄにより開放される。その結果、第１かしめ部３ａとフェルール２との間の固定強度は低下せず維持される。また、第２かしめ部３ｂと光ファイバケーブル１との間の固定強度も維持される。
【００４３】
また、先に第２かしめ部３ｂによって外被覆部１ｃをかしめる工程を行った場合や、２つのかしめ工程を略同時に行った場合も同様である。この場合でも、第１かしめ部３ａとフェルール２との間の固定強度、および第２かしめ部３ｂと光ファイバケーブル１との間の固定強度は維持される。
【００４４】
その後、かしめリング３に保護ブーツ４を取り付ける。これによって、光ファイバ端子１０を光ファイバケーブル１に取り付けて、端子付光ファイバケーブルとすることができる。なお、保護ブーツ４は、たとえばゴムや弾性を有するプラスチックからなるものであり、光ファイバ端子１０と光ファイバケーブル１との接続部が許容半径よりも小さい曲げ径で折れ曲がるのを防止しており、これによって光ファイバ素線１ａが折損することを防止している。
【００４５】
この光ファイバ端子１０では、かしめリング３が抗張力体１ｂをフェルール２に固定しており、抗張力体１ｂがフェルール２と固定されて一体化されている。また、第１かしめ部３ａとフェルール２との間の固定強度、および第２かしめ部３ｂと光ファイバケーブル１との間の固定強度は維持される。その結果、光ファイバ端子１０は、より振動や衝撃に強い構造となっている。
【００４６】
図７は、抗張力体１ｂが固定されている状態を説明する一部断面図である。図７に示すように、抗張力体１ｂは、かしめリング３によってフェルール２の台座部２ｄに直接固定されている。このため、光ファイバケーブル１と光ファイバ端子１０との接続部において両者が一体化し、光ファイバケーブル１が振動や衝撃により引っ張られても光ファイバケーブル１と光ファイバ端子１０とが分離しにくくなるので、振動や衝撃に強くなる。なお、台座部２ｄは外周に沿って凸部２ｄａが形成されているため、台座部２ｄの表面に凹凸が形成されている。このため、かしめリング３によってかしめられることによって抗張力体１ｂは引っ張られた場合に凸部２ｄａに引っ掛かって引き抜けにくくなるため、より一層引っ張りに強くなる。なお、かしめリング３の内周には台座部２ｄの溝と係合する凸部を設けてもよい。
【００４７】
さらに、この光ファイバ端子１０では、光ファイバ固定部材２ｅを用いて光ファイバ素線１ａをフェルール２に固定している。これによって、光ファイバ端子１０と光ファイバケーブル１とはより一層強固に接続されるので、振動や衝撃にさらに強くなる。また、この構造によって光ファイバケーブル１に加えられた外力が固定部分にかかり、端面側への影響が少ない。このためには固定部分は３ｍｍ〜１．６ｍｍの長さがあると都合が良い。
【００４８】
以上説明したように、本実施の形態１に係る光ファイバ端子１０は、光ファイバケーブル１が振動や衝撃により引っ張られても光ファイバケーブル１と分離しにくく、振動や衝撃に強いものとなり、たとえば１００Ｎもの引っ張り張力にも耐えることができるものとなる。
【００４９】
（実施の形態２）
つぎに、本発明の実施の形態２に係る光ファイバ端子について説明する。図８は、実施の形態２に係る光ファイバ端子を光ファイバケーブルの先端に取り付けた端子付光ファイバケーブルを模式的に示す図である。図８に示すように、この光ファイバ端子１０Ａは、２芯構造光コネクタに取り付けられる光ファイバケーブル１の各先端に取り付けられており、フェルール２Ａと、かしめリング３Ａと、保護ブーツとを備えている。なお、保護ブーツは図示を省略しているが、図１の保護ブーツ４と同様のものである。
【００５０】
図９は、フェルール２Ａを模式的に示す図である。フェルール２Ａは、実施の形態１のフェルール２とは台座部２Ａｄの形状が異なり、その他の部分は同じ構造を有する。台座部２Ａｄは、台座部本体２Ａｄ１と、台座部本体２Ａｄ１から突出するように外周に沿って形成されたフランジ部２Ａｄ２とを有する。
【００５１】
図８に戻って、かしめリング３Ａは、第１かしめ部３Ａａと、第２かしめ部３Ａｂと、第３かしめ部３Ａｃとを備えている。第１かしめ部３Ａａはフェルール２Ａの台座部２Ａｄの台座部本体２Ａｄ１をかしめる部分である。第２かしめ部３Ａｂは光ファイバケーブル１の外被覆部１ｃをかしめる部分である。第３かしめ部３Ａｃはフランジ部２Ａｄ２をかしめる部分である。かしめリング３Ａには、第１かしめ部３Ａａから第３かしめ部３Ａｃを経由して第２かしめ部３Ａｂにわたってスリット３Ａｄが形成されている。
【００５２】
図１０は、かしめリング３Ａのかしめる前の状態を模式的に示す図である。図１０（ａ）は側面図であり、図１０（ｂ）は斜視図である。また、図１１は、かしめリング３Ａの断面図である。図１１（ａ）、（ｂ）、（ｃ）はそれぞれ図１０（ａ）のＡ−Ａ線断面図、Ｂ−Ｂ線断面図、Ｃ−Ｃ線断面図である。
【００５３】
図１０、１１に示すように、かしめリング３Ａの第１かしめ部３Ａａ、第２かしめ部３Ａｂ、および第３かしめ部３Ａｃは、それぞれ、台座部本体２Ａｄ１、光ファイバケーブル１の外被覆部１ｃ、およびをフランジ部２Ａｄ２に嵌合できるようなサイズのＵ字形状を有している。また、かしめリング３Ａは、第１かしめ部３Ａａと第２かしめ部３Ａｂとを接続する渡り部３Ａｅを有する。第３かしめ部３Ａｃは渡り部３Ａｅに形成されている。
【００５４】
ここで、この光ファイバ端子１０Ａを光ファイバケーブル１の先端に取り付ける際の組立工程について説明する。はじめに、光ファイバ端子１０の場合と同様に、光ファイバケーブル１の先端部をフェルール２Ａに挿通し、固定する。
【００５５】
つぎに、図１２に示すように、フェルール２Ａの台座部２Ａｄに、光ファイバケーブル１の抗張力体１ｂを載置する。このとき台座部２Ａｄの外周にわたって均一に抗張力体１ｂを載置することが好ましい。また、台座部本体２Ａｄ１に到るまで抗張力体１ｂを載置することが好ましい。その後、かしめリング３Ａを台座部２Ａｄと光ファイバケーブル１とに嵌合する。
【００５６】
つぎに、図１２に示すように、かしめリング３Ａの第１かしめ部３Ａａに圧力Ｆ２を加えて台座部本体２Ａｄ１に載置された抗張力体１ｂとともに台座部本体２Ａｄ１をかしめる。つぎに、第３かしめ部３Ａｃに圧力Ｆ３を加えて抗張力体１ｂとともにフランジ部２Ａｄ２をかしめる。つぎに、第２かしめ部３Ａｂに圧力Ｆ４を加えて光ファイバケーブル１の外被覆部１ｃをかしめる。
【００５７】
図１３は、かしめた後の端子付光ファイバケーブルの模式的な断面図である。図１３はフランジ部２Ａｄ２における断面を示している。かしめた後には第３かしめ部３ＡｃのＵ字形状の先端部が内側に曲がって開口部が閉じることによってスリット３Ａｄが形成される。なお、第１かしめ部３Ａａ、第２かしめ部３Ａｂにおいてもかしめた後にはＵ字形状の開口部が閉じてスリット３Ａｄが形成される。
【００５８】
このかしめリング３Ａも、スリット３Ａｄを有するので、第１かしめ部３Ａａ、第２かしめ部３Ａｂ、第３かしめ部３Ａｃのそれぞれに対する圧力Ｆ２、Ｆ３、Ｆ４により内部応力が発生したとしても、各内部応力はスリット３Ａｄにより開放される。その結果、第１かしめ部３Ａａと台座部本体２Ａｄ１との間の固定強度、第２かしめ部３Ａｂと光ファイバケーブル１との間の固定強度、および第３かしめ部３Ａｃとフェルール２Ａのフランジ部２Ａｄ２との間の固定強度はいずれも維持される。
【００５９】
その後、かしめリング３Ａに保護ブーツを取り付ける。これによって、光ファイバ端子１０Ａを光ファイバケーブル１に取り付けて、端子付光ファイバケーブルとすることができる。
【００６０】
この光ファイバ端子１０Ａにおいても、かしめリング３Ａが抗張力体１ｂをフェルール２Ａに固定しており、抗張力体１ｂがフェルール２Ａと固定されて一体化されている。また、かしめリング３Ａの各かしめ部においても固定強度は維持される。その結果、光ファイバ端子１０Ａは、より振動や衝撃に強い構造となっている。
【００６１】
特に、台座部２Ａｄには外周に沿ってフランジ部２Ａｄ２が形成されている。このため、かしめリング３Ａによってかしめられることによって、抗張力体１ｂは引っ張られた場合にフランジ部２Ａｄ２に引っ掛かって引き抜けにくくなる。また、台座部本体２Ａｄ１をかしめている第１かしめ部３Ａａもフランジ部２Ａｄ２に引っ掛かるため、抗張力体１ｂおよび光ファイバケーブル１はより引き抜けにくくなる。そのため、この端子付光ファイバケーブルは、より一層引っ張りに強くなる。
【００６２】
以上説明したように、本実施の形態２に係る光ファイバ端子１０Ａは、光ファイバケーブル１が振動や衝撃により引っ張られても光ファイバケーブル１と分離しにくく、振動や衝撃に強いものとなり、たとえば１００Ｎもの引っ張り張力にも耐えることができるものとなる。
【００６３】
なお、図１３では、かしめた後に第３かしめ部３ＡｃのＵ字形状の開口部が閉じてスリット３Ａｄが形成される場合に、Ｕ字の両端部がほぼ隙間無く突き合わされるようにしてスリット３Ａｄが形成されている。しかしながら、図１４に示すように、Ｕ字の両端部の一部が重なるようにしてスリット３Ａｄが形成される態様としてもよい。図１３、１４のいずれの場合も、フランジ部２Ａｄ２の全周にわたって抗張力体１ｂを固定することができる。第１かしめ部３Ａａ、第２かしめ部３Ａｂについても、スリット３Ａｄが形成される態様としては、Ｕ字の両端部がほぼ突き合わされるようにしてもよいし、一部が重なるようにしてもよい。
【００６４】
図１５は、図１０に示すかしめリング３Ａの変形例を模式的に示す図である。なお、図１５（ａ）は側面図であり、図１５（ｂ）は斜視図である。この変形例に係るかしめリング３Ｂは、第１かしめ部３Ｂａと、第２かしめ部３Ｂｂと、第３かしめ部３Ｂｃと、３つの渡り部３Ｂｅとを有する。渡り部３Ｂｅは、底部と両側部の３箇所に形成されており、第１かしめ部３Ｂａと第２かしめ部３Ｂｂとを接続している。第３かしめ部３Ｂｃは両側部の渡り部３Ｂｅに形成されている。このかしめリング３Ｂは渡り部３Ｂｅが３方向に形成されているので、半径方向における様々な方向からの引っ張り力や衝撃力に対して強い構造となっている。なお、渡り部３Ｂｅの数は３に限られず、複数であればよい。
【００６５】
（実施の形態３）
つぎに、本発明の実施の形態３に係る光ファイバ端子について説明する。実施の形態１、２に係る光ファイバ端子と実施の形態３に係る光ファイバ端子とでは、フェルールの台座部の構造と、かしめリングの構造とが異なるので、以下ではおもにこれらの相違点について説明する。
【００６６】
図１６は、実施の形態３に係る光ファイバ端子に用いるかしめリングを模式的に示す図である。図１６に示すように、このかしめリング３Ｃは、第１かしめ部３Ｃａと、第２かしめ部３Ｃｂと、第１かしめ部３Ｃａと第２かしめ部３Ｃｂとを接続する渡り部３Ｃｅを有する。第１かしめ部３Ｃａおよび第２かしめ部３ＣｂはＵ字形状を有する。第１かしめ部３Ｃａは、内周および外周に沿って形成された第２凸部としての２つの凸部３Ｃａ１を有する。なお、凸部３Ｃａ１の数は２に限られず、少なくとも１つあればよい。また、凸部３Ｃａ１は少なくとも内周に形成されていればよい。
【００６７】
つぎに、フェルールの台座部の構造とともに実施の形態３に係る光ファイバ端子を光ファイバケーブルの先端に取り付ける際の組立工程について説明する。図１７は、実施の形態３に係る光ファイバ端子を用いた端子付光ファイバケーブルの組立工程を説明する図である。
【００６８】
実施の形態３に係る光ファイバ端子のフェルール２Ｂは、実施の形態１のフェルール２とは台座部２Ｂｄの形状が異なり、その他の部分は同じ構造を有する。図１７に示すように、台座部２Ｂｄは、台座部本体２Ｂｄ１と、台座部本体２Ｂｄ１から突出するように外周に沿って形成されたフランジ部２Ｂｄ２と、フランジ部２Ｂｄ２に比して突出高さが低い第１凸部としての３つの凸部２Ｂｄ３とを有する。なお、凸部２Ｂｄ３の数は３にかぎられず、少なくとも１つあればよい。
【００６９】
図１７に示すように、組立工程においては、はじめに、光ファイバケーブル１の先端部をフェルール２Ｂに挿通し、固定する。つぎに、フェルール２Ｂの台座部２Ｂｄに、光ファイバケーブル１の抗張力体１ｂを載置する。このとき台座部２Ｂｄの外周にわたって均一に抗張力体１ｂを載置することが好ましい。また、台座部本体２Ｂｄ１に到るまで抗張力体１ｂを載置することが好ましい。その後、かしめリング３Ｃを台座部２Ｂｄと光ファイバケーブル１とに嵌合する。このとき、渡り部３Ｃｅは下側に窪んだ形状となっているため、フランジ部２Ｂｄ２との干渉を避けることができる。また、第１かしめ部３Ｃａの凸部３Ｃａ１は、台座部２Ｂｄの凸部２Ｂｄ３の間の凹部に係合する。
【００７０】
つぎに、図１７に示すように、かしめリング３Ｃの第１かしめ部３Ｃａに圧力Ｆ５を加えて台座部本体２Ｂｄ１に載置された抗張力体１ｂとともに台座部本体２Ｂｄ１をかしめる。つぎに、第２かしめ部３Ｃｂに圧力Ｆ６を加えて光ファイバケーブル１の外被覆部１ｃをかしめる。かしめた後には第１かしめ部３Ｃａおよび第２かしめ部３ＣｂのＵ字形状の先端部が曲がって開口部が閉じることによってスリット３Ｃｄが形成される。
【００７１】
このかしめリング３Ｃも、スリット３Ｃｄを有するので、第１かしめ部３Ｃａ、第２かしめ部３Ｃｂのそれぞれに対する圧力Ｆ５、Ｆ６により内部応力が発生したとしても、各内部応力はスリット３Ｃｄにより開放される。その結果、第１かしめ部３Ｃａとフェルール２Ｂの台座部本体２Ｂｄ１との間の固定強度、第２かしめ部３Ｃｂと光ファイバケーブル１との間の固定強度はいずれも維持される。
【００７２】
その後、かしめリング３Ｃに保護ブーツを取り付ける。これによって、光ファイバ端子を光ファイバケーブル１に取り付けて、端子付光ファイバケーブルとすることができる。
【００７３】
この光ファイバ端子においても、かしめリング３Ｃが抗張力体１ｂをフェルール２Ｂに固定しており、抗張力体１ｂがフェルール２Ｂと固定されて一体化されている。また、かしめリング３Ｃの各かしめ部においても固定強度は維持される。その結果、光ファイバ端子は、より振動や衝撃に強い構造となっている。
【００７４】
特に、台座部２Ｂｄには外周に沿ってフランジ部２Ｂｄ２が形成されている。また、第１かしめ部３Ｃａの凸部３Ｃａ１が台座部２Ｂｄの凸部２Ｂｄ３の間の凹部に嵌合している。このため、かしめリング３Ｃによってかしめられることによって、抗張力体１ｂは引っ張られた場合にフランジ部２Ｂｄ２および凸部３Ｃａ１と台座部２Ｂｄの凹部との嵌合に引っ掛かって引き抜けにくくなる。また、台座部本体２Ｂｄ１をかしめている第１かしめ部３Ｃａもフランジ部２Ｂｄ２および凸部２Ｂｄ３の間の凹部に引っ掛かるため、抗張力体１ｂおよび光ファイバケーブル１はより引き抜けにくくなる。そのため、この端子付光ファイバケーブルは、より一層引っ張りに強くなる。
【００７５】
以上説明したように、本実施の形態３に係る光ファイバ端子は、光ファイバケーブル１が振動や衝撃により引っ張られても光ファイバケーブル１と分離しにくく、振動や衝撃に強いものとなり、たとえば１００Ｎもの引っ張り張力にも耐えることができるものとなる。
【００７６】
（実施の形態４、５）
つぎに、本発明の実施の形態４、５について説明する。本実施の形態４、５に係る光コネクタは、実施の形態２に係る光ファイバ端子を備えるものである。
【００７７】
図１８は、実施の形態４、５に係る光コネクタの使用状態を模式的に示す図である。図１８は、車載通信システム１００を示している。この車載通信システム１００は、通信を行う装置に備えられた制御基板１０１と制御基板１０２とがコネクタ付光ファイバケーブル１０３、１０４を介して接続し、相互に制御信号の通信を行うものである。
【００７８】
制御基板１０１、１０２は、それぞれメス型のコネクタ構造を備えたＦＯＴ（Fiber  Optical  Transceiver）１０１ａ、１０２ａを搭載している。コネクタ付光ファイバケーブル１０３は、実施の形態２に係るオス型の光コネクタ２０が、図２に示した光ファイバケーブル１の両端に取り付けられたものである。コネクタ付光ファイバケーブル１０４は、光コネクタ２０と、実施の形態３に係るメス型の光コネクタ３０とが、光ファイバケーブル１の各端部に取り付けられたものである。そして、コネクタ付光ファイバケーブル１０３、１０４の光コネクタ２０がそれぞれＦＯＴ１０１ａ、１０２ａに接続され、コネクタ付光ファイバケーブル１０３のもう一方の光コネクタ２０とコネクタ付光ファイバケーブル１０４の光コネクタ３０が接続する（すなわちWire  to  Wire接続する）ことによって、制御基板１０１、１０２間にコネクタ付光ファイバケーブル１０３、１０４による信号伝送路が形成されて、高速、大容量の通信を行うことができる。
【００７９】
つぎに、実施の形態４に係る光コネクタについて具体的に説明する。図１９は、実施の形態４に係る光コネクタを光ファイバケーブルの先端に取り付けたコネクタ付光ファイバケーブルを模式的に示す図である。図１９（ａ）は正面図、図１９（ｂ）は側面図、図１９（ｃ）は平面図である。図２０は、図１９に示す光コネクタの一部断面図である。
【００８０】
図１９、２０に示すように、この光コネクタ２０は、実施の形態２に係る光ファイバ端子１０Ａと、光ファイバ端子１０Ａを保持するハウジング２１と、ハウジング２１に光ファイバ端子１０Ａを固定するための光ファイバ端子固定部材２２とを備えている。
【００８１】
ハウジング２１は、２芯構造の光ファイバケーブル１の各先端に取り付けられた２つの光ファイバ端子１０Ａを挿通するため長手方向に互いに平行に形成された２つの挿通穴２１ａと、ハウジング２１の上面から底面に貫通し、かつ挿通穴２１ａに連通するように形成され、光ファイバ端子固定部材２２を挿入するためのスリット２１ｂと、幅方向略中央において長手方向の先端から後端に向かって斜め上方向に傾斜するように形成された弾性を有するアーム部２１ｃと、アーム部２１ｃの先端部２１ｃａを引っ掛けて止めるための掛止部２１ｄと、アーム部２１ｃの上部に形成されたラッチ突起部２１ｅと、を備えている。なお、挿通穴２１ａの内壁には、光ファイバ端子１０Ａの鍔部２ｂの前端面２ｂａに当接して光ファイバ端子１０Ａの前端面側への移動を規制する規制面２１ｆが形成されている。また、ハウジング２１はたとえばＰＰＳ、ポリブチレンテレフタレート（ＰＢＴ）からなる。また、車内での利用を考慮すると耐熱性で熱膨張率の小さい樹脂がよい。
【００８２】
図２１は、図１９に示す光ファイバ端子固定部材の構造を模式的に示す図である。図２１（ａ）は正面図、図２１（ｂ）は側面図、図２１（ｃ）は図２１（ａ）におけるＤ−Ｄ線断面図と、光ファイバ端子固定部材が光ファイバ端子を固定する様子を示している。図２１に示すように、この光ファイバ端子固定部材２２は、本体部２２ａと、本体部２２ａの幅方向両端から突出するように形成された嵌合部２２ｂと、本体部２２ａの幅方向略中央から突出するように形成された係止部２２ｃおよびばね部２２ｄとを備えている。嵌合部２２ｂと係止部２２ｃおよびばね部２２ｄとの間には２つの間隙２２ｅが形成されている。光ファイバ端子固定部材２２は、たとえばＰＰＳ、ＰＢＴからなる。
【００８３】
嵌合部２２ｂは、その厚さがフェルール２Ａの溝部２ｇの幅と略一致するかわずかに薄く設定されている。係止部２２ｃは、嵌合部２２ｂよりもやや前側に形成されており、先端には係止爪２２ｃａが形成されている。また、ばね部２２ｄは、図２１（ｂ）、（ｃ）に示すように側面から見た場合に係止部２２ｃ側に突出するように円弧状に湾曲しており、かつ円弧状の部分が嵌合部２２ｂの係止部２２ｃ側の面よりも突出するように形成されている。
【００８４】
つぎに、この光コネクタ２０の組み立て方法について説明する。はじめに、図２０に示すように、２つの光ファイバ端子１０Ａをハウジング２１の挿通穴２１ａに、フェルール２Ａの鍔部２ｂの前端面２ｂａが挿通穴２１ａ内の規制面２１ｆに当接するように挿通する。このとき、フェルール２Ａの溝部２ｇは、ハウジング２１に形成されたスリット２１ｂと重なるように位置される。
【００８５】
つぎに、ハウジング２１の底面側からスリット２１ｂに光ファイバ端子固定部材２２を挿入する。すると、図２１（ｃ）に示すように、光ファイバ端子固定部材２２の２つの嵌合部２２ｂは、２つのフェルール２Ａのそれぞれの外側の溝部２ｇに挿入される。なお、嵌合部２２ｂの先端は、上面側のスリット２１ｂに到達して挿入される。したがって、光ファイバ端子固定部材２２は、上底面のスリット２１ｂによって、長手方向への移動が規制される。
【００８６】
また、ばね部２２ｄは、２つのフェルール２Ａの溝部２ｇのそれぞれに挿入されるが、鍔部２ｂによって湾曲部が後方に押し戻された状態で挿入される。その結果、ばね部２２ｄは、その付勢力によって鍔部２ｂの後端面２ｂｂを押圧するので、鍔部２ｂの前端面２ｂａがフェルール２Ａの先端面２ａａ側に向けてハウジング２１の規制面２１ｆに押圧される。これによって、フェルール２Ａはハウジング２１の規制面２１ｆに押止される。なお、係止部２２ｃは２つのフェルール２Ａの間を通過し、係止爪２２ｃａがハウジング２１の上面側のスリット２１ｂに係止される。これによって、光ファイバ端子固定部材２２はハウジング２１に固定される。なお、２つのフェルール２Ａは、２つの間隙２２ｅ内に配置される。
【００８７】
以上のように、フェルール２Ａの溝部２ｇに光ファイバ端子固定部材２２の嵌合部２２ｂが嵌合し、かつ光ファイバ端子固定部材２２はスリット２１ｂに嵌合している。これによって、光ファイバ端子１０Ａはハウジング２１に強固に固定されるため、光コネクタ２０は振動や衝撃にさらに強くなるので、たとえば１００Ｎもの引っ張り張力にも耐えることができ、接続信頼性が高いものとなる。さらに、本実施の形態４では、光ファイバ端子固定部材２２がばね部２２ｄによって光ファイバ端子１０Ａをハウジング２１の規制面２１ｆに押止しているので、光ファイバ端子１０Ａは先端面方向への移動がさらに規制されているため、光ファイバ端子１０Ａの先端面２ａａを所望の位置に設定することができる。
【００８８】
つぎに、実施の形態５に係る光コネクタについて具体的に説明する。図２２は、実施の形態５に係る光コネクタを光ファイバケーブルの先端に取り付けたコネクタ付光ファイバケーブルを模式的に示す図である。図２２（ａ）は正面図、図２２（ｂ）は側面図、図２２（ｃ）は平面図である。図２３は、図２２に示す光コネクタの一部断面図である。
【００８９】
図２２、２３に示すように、この光コネクタ３０は、実施の形態２に係る光ファイバ端子１０Ａと、光ファイバ端子１０Ａを保持するハウジング３１と、ハウジング３１に光ファイバ端子１０Ａを固定するための図２１と同様の光ファイバ端子固定部材２２とを備えている。
【００９０】
ハウジング３１は、２芯構造の光ファイバケーブル１の各先端に取り付けられた２つの光ファイバ端子１０Ａを挿通するため長手方向に平行に形成された２つの挿通穴３１ａと、ハウジング３１の底面から上面に貫通し、かつ挿通穴３１ａに連通するように形成され、光ファイバ端子固定部材２２を挿入するためのスリット３１ｂと、挿通穴３１ａから先端方向に連通し、実施の形態４に係る光コネクタ２０が挿入され収容される収容部３１ｃとを備えている。また、ハウジング３１の上面は突出部３１ｄが形成されている。突出部３１ｄの内側には、光コネクタ２０を挿入した場合にアーム部２１ｃがガイドされるガイド溝３１ｅが収容部３１ｃと連続して形成され、突出部３１ｄには、ラッチ突起部２１ｅが嵌合するための固定構造としてのラッチ穴３１ｆが形成されている。また、挿通穴３１ａの内壁には、光ファイバ端子１０Ａの鍔部２ｂの前端面２ｂａに当接して光ファイバ端子１０Ａの前方への移動を規制する規制面３１ｇが形成されている。また、ハウジング３１はたとえばＰＰＳ、ＰＢＴからなる。
【００９１】
つぎに、この光コネクタ３０の組み立て方法について説明する。はじめに、図２３に示すように、２つの光ファイバ端子１０Ａをハウジング３１の挿通穴３１ａに、フェルール２Ａの鍔部２ｂの前端面２ｂａが挿通穴３１ａ内の規制面３１ｇに当接するように挿通する。このとき、フェルール２の溝部２ｇは、ハウジング３１に形成されたスリット３１ｂと重なるように位置される。
【００９２】
つぎに、ハウジング３１の上面側からスリット３１ｂに光ファイバ端子固定部材２２を挿入する。すると、光コネクタ２０の場合と同様に、光ファイバ端子固定部材２２の２つの嵌合部２２ｂは、２つのフェルール２Ａのそれぞれの外側の溝部２ｇに挿入される。なお、嵌合部２２ｂの先端は、底面側のスリット２１ｂまで到達して挿入される。したがって、光ファイバ端子固定部材２２は、上底面のスリット３１ｂによって、長手方向への移動が規制される。
【００９３】
また、ばね部２２ｄは、２つのフェルール２Ａの溝部２ｇのそれぞれに挿入されるが、鍔部２ｂによって湾曲部が後方に押し戻された状態で挿入される。その結果、ばね部２２ｄは、その付勢力によって鍔部２ｂの後端面２ｂｂを押圧するので、鍔部２ｂの前端面２ｂａがフェルール２Ａの先端面２ａａ側に向けてハウジング３１の規制面３１ｇに押圧される。これによって、フェルール２Ａはハウジング３１の規制面３１ｇに押止される。なお、係止部２２ｃは２つのフェルール２Ａの間を通過し、係止爪２２ｃａがハウジング３１の底面側のスリット３１ｂに係止される。これによって、光ファイバ端子固定部材２２はハウジング３１に固定される。なお、２つのフェルール２Ａは、２つの間隙２２ｅ内のそれぞれに配置される。
【００９４】
以上のように、フェルール２Ａの溝部２ｇに光ファイバ端子固定部材２２の嵌合部２２ｂが嵌合し、かつ光ファイバ端子固定部材２２はスリット３１ｂに嵌合している。これによって、光ファイバ端子１０Ａはハウジング３１に強固に固定されるため、光コネクタ３０は振動や衝撃にさらに強くなるので、たとえば１００Ｎもの引っ張り張力にも耐えることができ、接続信頼性が高いものとなる。さらに、本実施の形態５では、光ファイバ端子固定部材２２がばね部２２ｄによって光ファイバ端子１０Ａをハウジング３１の規制面３１ｇに押止しているので、光ファイバ端子１０Ａは先端面方向への移動がさらに規制されているため、光ファイバ端子１０Ａの先端面２ａａを所望の位置に設定することができる。
【００９５】
図２４は、図１９に示す実施の形態４に係る光コネクタ２０と図２２に示す実施の形態５に係る光コネクタ３０とを接続した状態を示す一部断面図である。光コネクタ２０と光コネクタ３０とを接続する場合は、光コネクタ２０を光コネクタ３０の収容部３１ｃに挿入する。すると、光コネクタ２０のアーム部２１ｃがガイド溝３１ｅによってガイドされ、ラッチ突起部２１ｅがラッチ穴３１ｆに嵌合して、係止される。これによって、光コネクタ２０と光コネクタ３０とが接続される。なお、この接続を外すときは、光コネクタ２０のアーム部２１ｃの先端部２１ｃａを押し下げて、ラッチ突起部２１ｅとラッチ穴３１ｆとの係止を解くことによって、接続を外すことができる。
【００９６】
なお、光コネクタ２０と光コネクタ３０とを接続した場合には、対向する光ファイバ端子１０Ａの先端面２ａａ間には所定の幅の間隙Ｇが形成される。このように間隙Ｇを形成することによって、たとえば振動、衝撃などによって光ファイバ端子１０が振動したり、製造、整備工程等で光コネクタ２０と光コネクタ３０との着脱を繰り返したとしても、光ファイバ端子１０Ａの先端面２ａａと同一面上にある光ファイバ１ａａの先端面１ａａｃ同士が擦れ合うことがない。したがって、先端面１ａａｃが破損したりキズがついたりすることが防止される。
【００９７】
間隙Ｇの幅はたとえば５００μｍ以下であるが、好ましくは３０〜３００μｍとし、光ファイバ１ａａのコア径、開口数、光ファイバ１ａａのピストニングなどに応じて、光ファイバケーブル１同士が低光損失で接続されるように設定される。なお、本実施の形態に係る光コネクタ２０、３０は、光ファイバ端子固定部材２２、および光ファイバ端子１０Ａの鍔部２ｂと規制面２１ｆ、３１ｇとによって、光ファイバ端子１０が先端方向に移動することが確実に規制され、かつ光ファイバ端子１０Ａは一体に形成されており、フェルール２Ａと光ファイバ１ａａの位置のずれが起こらない。したがって、この光コネクタ２０、３０を接続したものに振動、衝撃が加わっても、間隙Ｇは維持されるので、光ファイバ端子１０Ａの先端面２ａａ同士が接触することはなく、光ファイバ１ａａの先端面１ａａｃが破損したりキズがついたりすることが防止される。本実施の形態において間隙Ｇに起因する光損失を防止するために、光ファイバ１ａａとして５０〜２５０μｍ、特には１６０〜２２０μｍのコア径を有するものを用い、８００〜１３００μｍの波長のマルチモード通信システムで利用すると都合が良い。
【００９８】
（実施の形態６）
つぎに、本発明の実施の形態６に係る光コネクタについて説明する。図２５は、実施の形態６に係る光コネクタの一部切欠断面図である。図２５に示すように、この光コネクタ４０は、光ファイバケーブル１Ａの先端に取り付けられている。
【００９９】
光ファイバケーブル１Ａは、光ファイバ１Ａａａと、光ファイバ１Ａａａの外周に長手方向に沿って形成されて光ファイバ１Ａａａを被覆する素線被覆部１Ａａｂとからなる光ファイバ素線１Ａａと、光ファイバ素線１Ａａの外周に長手方向に沿って配置された抗張力体１Ａｂと、抗張力体１Ａｂの外周を長手方向に沿って覆う外被覆部１Ａｃとを備えている。
【０１００】
光コネクタ４０は、光ファイバ素線１Ａａを挿通固定するフェルール４１と、フェルール４１を収容保持するハウジング４２と、ハウジング４２に係止されて保持されている筒体としてのストップリング４３と、フェルール４１とストップリング４３との間に介挿され、その付勢力によってフェルール４１をハウジング４２に押圧しているばね４４と、光ファイバケーブル１Ａが挿通されるとともにストップリング４３に嵌合しているかしめリング４５とを備えている。
【０１０１】
この光コネクタ４０では、ストップリング４３にフランジ部４３ａが形成されている。また、かしめリング４５は、ストップリング４３の本体をかしめる第１かしめ部４５ａと、光ファイバケーブル１Ａの外被覆部１Ａｃをかしめる第２かしめ部４５ｂと、フランジ部４３ａをかしめる第３かしめ部４５ｃとを有する。また、かしめリング４５には第１かしめ部４５ａから第３かしめ部４５ｃを経由して第２かしめ部４５ｂにわたってスリット４５ｄが形成されている。
【０１０２】
この光コネクタ４０では、かしめリング４５が抗張力体１Ａｂをストップリング４３に固定している。このような光コネクタ４０においても、スリット４５ｄを有するので、第１かしめ部４５ａ、第２かしめ部４５ｂ、第３かしめ部４５ｃのそれぞれをかしめる際の圧力により内部応力が発生したとしても、各内部応力はスリット４５ｄにより開放される。その結果、各かしめ部をかしめたときの固定強度はいずれも維持される。また、フランジ部４３ａが形成されていることによって、抗張力体１Ａｂは引っ張られた場合にフランジ部４３ａに引っ掛かって引き抜けにくくなる。また、第１かしめ部４５ａもフランジ部４３ａに引っ掛かるため、抗張力体１Ａｂおよび光ファイバケーブル１Ａはより引き抜けにくくなる。そのため、この光コネクタ４０は、より一層引っ張りに強くなる。
【０１０３】
なお、上記実施の形態では、抗張力体として樹脂繊維を用いた光ファイバケーブルを使用しているが、光ファイバケーブルとしてはたとえば金属やＦＲＰなどからなるワイヤー状の抗張力体を用いたものでもよい。
【０１０４】
また、上記実施の形態に係る光コネクタにおいて、着脱等の際に光コネクタ内に埃や塵、水分が侵入すると、光コネクタの接続光損失が増加するおそれがある。したがって、光コネクタ内にゴムのカバー等の防塵あるいは防水のための構造を設けることが好ましい。
【０１０５】
また、上記実施の形態は、本発明の光ファイバ端子および光コネクタを１芯または２芯の光ファイバケーブルに適用したものであるが、本発明はこれに限らず、３芯以上の多芯の光ファイバケーブルにも適用できるものである。
【０１０６】
また、上記実施の形態により本発明が限定されるものではない。上述した各構成要素を適宜組み合わせて構成したものも本発明に含まれる。たとえば、実施の形態１、３の光ファイバ端子を実施の形態４、５の光コネクタに適用してもよい。その他、上記実施の形態に基づいて当業者等によりなされる他の実施の形態、実施例及び運用技術等は全て本発明に含まれる。
【符号の説明】
【０１０７】
１、１Ａ  光ファイバケーブル
１ａ、１Ａａ  光ファイバ素線
１ａａ、１Ａａａ  光ファイバ
１ａａａ  コア部
１ａａｂ  クラッド部
１ａａｃ  先端面
１ａｂ、１Ａａｂ  素線被覆部
１ｂ、１Ａｂ  抗張力体
１ｃ、１Ａｃ  外被覆部
２、２Ａ、２Ｂ、４１  フェルール
２ａ  先端部
２ａａ  先端面
２ｂ  鍔部
２ｂａ  前端面
２ｂｂ  後端面
２ｃ  本体部
２ｅｂ  凹凸部
２ｃａ  開口穴
２ｄ、２Ａｄ、２Ｂｄ  台座部
２Ａｄ１、２Ｂｄ１  台座部本体
２Ａｄ２、２Ｂｄ２、４３ａ  フランジ部
２ｄａ、２Ｂｄ３  凸部
２ｅ  光ファイバ固定部材
２ｅａ  溝
２ｇ  溝部
２ｈ、２１ａ、３１ａ  挿通穴
２ｉ  支持台
３、３Ａ、３Ｂ、３Ｃ、４５  かしめリング
３ａ、３Ａａ、３Ｂａ、３Ｃａ、４５ａ  第１かしめ部
３ｂ、３Ａｂ、３Ｂｂ、３Ｃｂ、４５ｂ  第２かしめ部
３ｃ  段差部
３Ａｃ、３Ｂｃ、４５ｃ  第３かしめ部
３ｄ、３Ａｄ、３Ｃｄ、２１ｂ、３１ｂ、４５ｄ  スリット
３Ａｅ、３Ｂｅ、３Ｃｅ  渡り部
４  保護ブーツ
１０、１０Ａ  光ファイバ端子
２０、３０、４０  光コネクタ
２１、３１、４２  ハウジング
２１ｃ  アーム部
２１ｃａ  先端部
２１ｄ  掛止部
２１ｅ  ラッチ突起部
２１ｆ、３１ｇ  規制面
２２  光ファイバ端子固定部材
２２ａ  本体部
２２ｂ  嵌合部
２２ｃ  係止部
２２ｃａ  係止爪
２２ｄ  ばね部
２２ｅ  間隙
３１ｃ  収容部
３１ｄ  突出部
３１ｅ  ガイド溝
３１ｆ  ラッチ穴
４３  ストップリング
４４  ばね
１００  車載通信システム
１０１、１０２  制御基板
１０３、１０４  コネクタ付光ファイバケーブル
Ｆ１〜Ｆ６  圧力
Ｇ  間隙
【図１】
2012220799.tif 000003
【図２】
2012220799.tif 000004
【図３】
2012220799.tif 000005
【図４】
2012220799.tif 000006
【図５】
2012220799.tif 000007
【図６】
2012220799.tif 000008
【図７】
2012220799.tif 000009
【図８】
2012220799.tif 000010
【図９】
2012220799.tif 000011
【図１０】
2012220799.tif 000012
【図１１】
2012220799.tif 000013
【図１２】
2012220799.tif 000014
【図１３】
2012220799.tif 000015
【図１４】
2012220799.tif 000016
【図１５】
2012220799.tif 000017
【図１６】
2012220799.tif 000018
【図１７】
2012220799.tif 000019
【図１８】
2012220799.tif 000020
【図１９】
2012220799.tif 000021
【図２０】
2012220799.tif 000022
【図２１】
2012220799.tif 000023
【図２２】
2012220799.tif 000024
【図２３】
2012220799.tif 000025
【図２４】
2012220799.tif 000026
【図２５】
2012220799.tif 000027